(57)【要約】【課題】棚板上に載置される商品の重量等に応じて、スライドレール機構の後下がり傾斜角度を簡単に調節できるようにした構造の簡単な商品陳列棚を提供する。【解決手段】左右の支柱５に棚受けブラケット７を前方に向けて突設し、この棚受けブラケット７に、棚板９を、スライドレール機構を介して前後方向にスライド可能として支持してなる商品陳列棚において、スライドレール機構における固定ガイドレールを固着した係止部材８を、棚受けブラケット７の上端に係止するとともに、棚受けブラケット７の前部に、係止部材８の前端部の高さを調節する高さ調節ねじ１４を設けることにより、棚板９の後下がり傾斜角度を調節しうるようにする。【選択図】      図３
2009201711.tif 000002
【特許請求の範囲】
【請求項１】
左右の支柱に棚受けブラケットを前方に向けて突設し、この棚受けブラケットに、棚板を、スライドレール機構を介して前後方向にスライド可能として支持してなる商品陳列棚において、
前記スライドレール機構における固定ガイドレールを固着した係止部材を、前記棚受けブラケットの上端に係止するとともに、前記棚受けブラケットの前部に、前記係止部材の前端部の高さを調節する高さ調節手段を設けることにより、前記棚板の後下がり傾斜角度を調節しうるようにしたことを特徴とする商品陳列棚。
【請求項２】
係止部材の後部を、棚受けブラケットの後部に、左右方向の軸をもって枢着したことを特徴とする請求項１に記載の商品陳列棚。
【請求項３】
高さ調節手段を、棚受けブラケットの前端部に設けた上下方向を向くねじ孔に下方より螺合し、棚受けブラケットの上端より上方に突出する上端で、係止部材の前端部を支持するようにした高さ調節ねじとした請求項１または２記載の商品陳列棚。
【請求項４】
係止部材を、前後方向を向く垂直板状の基片の内側面に固定ガイドレールが固着され、かつ前記基片の上端部に、外向き水平片とその外側端より垂下する垂下片とからなる係止部が形成されたものとし、前記係止部が、棚受けブラケットに上方より跨嵌し、前記外向き水平片の前端部下面が高さ調節手段に当接するようにした請求項１〜３のいずれかに記載の商品陳列棚。
【請求項５】
スライドレール機構が、係止部材に、予め後下がり傾斜状態で固着された前後方向を向く固定ガイドレールと、この固定ガイドレールに前後方向に摺動自在に嵌合され、かつ棚板の側部に固定された可動レールとを備えるものとした請求項１〜４のいずれかに記載の商品陳列棚。
【請求項６】
左右の支持部材同士を、連結材により連結した請求項１〜５のいずれかに記載の商品陳列棚。
【発明の詳細な説明】
【技術分野】
【０００１】
本発明は、前後方向にスライドする棚板を備えた商品陳列棚に関する。
【背景技術】
【０００２】
商品を陳列する棚は、棚板の上下間隔を狭くして、段数を多くする程、陳列点数が増加する。しかし、棚板の上下間隔を狭くすると、棚板の奥に載置されている商品は、視認し難く、かつ出し入れが困難となる。これを解消するため、棚板を手で前に引き出して、商品の補充や取り出しを行い、その後、元に戻すように、スライド可能とした棚板が提案されている（例えば、特許文献１参照）。
【０００３】
しかし、特許文献１に記載されているものは、棚板を前方に引き出す際には、操作杆を操作して係止手段を解除しなければならないため、操作が面倒であるとともに、構造が複雑化する。
そこで本発明者は、スライドレール機構における棚受けブラケットに取付けられている固定ガイドレールを、後ろ下がり傾斜させたものを開発し、既に特許出願(特願２００７−４６８１５)している。この構造によれば、棚板を簡単に引出すことができ、しかも、手を離せば、棚板上に載置されている商品の自重により、棚板は自動的に原位置に復帰することができる。
【特許文献１】特公昭６３−１３７５１号公報
【発明の開示】
【発明が解決しようとする課題】
【０００４】
しかし、スライドレール機構の後下がり傾斜角度を大きく設定した場合は、棚板に載置される商品が重いと、原位置復帰時の衝撃が大きくなり、その逆に、後下がり傾斜角度を小さく設定した場合は、商品が軽いと、棚板が停止したまま放置されたり、原位置復帰までに長時間を要するなど、思うにように原位置に復帰しないおそれがある。
【０００５】
本発明は、従来の技術が有する上記のような問題点に鑑み、棚板上に載置される商品の重量等に応じて、スライドレール機構の後下がり傾斜角度を簡単に調節できるようにした、構造の簡単な商品陳列棚を提供することを目的としている。
【課題を解決するための手段】
【０００６】
本発明によると、上記課題は次のようにして解決される。
（１）左右の支柱に棚受けブラケットを前方に向けて突設し、この棚受けブラケットに、棚板を、スライドレール機構を介して前後方向にスライド可能として支持してなる商品陳列棚において、前記スライドレール機構における固定ガイドレールを固着した係止部材を、前記棚受けブラケットの上端に係止するとともに、前記棚受けブラケットの前部に、前記係止部材の前端部の高さを調節する高さ調節手段を設けることにより、前記棚板の後下がり傾斜角度を調節しうるようにする。
【０００７】
このような構成とすると、簡単な構造で、棚板上に載置される商品の重量等に応じて、スライドレール機構の後下がり傾斜角度を簡単に調節できる。
したがって、例えば、棚板に載置する商品が重い場合は、棚板の後下がり傾斜角度を小として、原位置復帰時の衝撃を弱めたり、その逆に、棚板に載置する商品が軽い場合は、棚板の後下がり傾斜角度を大として、棚板の原位置復帰時間を短くしたりすることができる。
また、棚受けブラケットの前部で、高さ調節を行うことができるので、作業性がよい。
【０００８】
(２)  上記(１)項において、係止部材の後部を、棚受けブラケットの後部に、左右方向の軸をもって枢着する。
【０００９】
このような構成とすると、高さ調節時に、係止部材は、軸を中心として正確に回動することができ、棚受けブラケットに対して、前後方向に位置ずれするのを防止することができるとともに、係止部材が棚受けブラケットから外れるのを防止することができる。
【００１０】
（３）上記(１)または(２)項において、高さ調節手段を、棚受けブラケットの前端部に設けた上下方向を向くねじ孔に下方より螺合し、棚受けブラケットの上端より上方に突出する上端で、係止部材の前端部を支持するようにした高さ調節ねじとする。
【００１１】
このような構成とすると、高さ調節手段の構造を簡素化することができるとともに、棚板の後下がり傾斜角度を、簡単かつ正確に微調節することができる。
【００１２】
（４）上記(１)〜(３)項のいずれかにおいて、係止部材を、前後方向を向く垂直板状の基片の内側面に固定ガイドレールが固着され、かつ前記基片の上端部に、外向き水平片とその外側端より垂下する垂下片とからなる係止部が形成されたものとし、前記係止部が、棚受けブラケットに上方より跨嵌し、前記外向き水平片の前端部下面が高さ調節手段に当接するようにする。
【００１３】
このような構成とすると、係止部材を、棚受けブラケットに上方より跨嵌するだけで、簡単に組み付けることができるとともに、係止部材が、棚受けブラケットより左右方向に外れることがない。
【００１４】
（５）上記(１)〜(４)項のいずれかにおいて、スライドレール機構が、係止部材に、予め後下がり傾斜状態で固着された前後方向を向く固定ガイドレールと、この固定ガイドレールに前後方向に摺動自在に嵌合され、かつ棚板の側部に固定された可動レールとを備えるものとする。
【００１５】
このような構成とすると、固定ガイドレールが、係止部材に対して、予め後下がり傾斜状態で固着されているので、高さ調節手段による角度調節範囲を小さくすることができる。
【００１６】
（６）上記(１)〜(５)項のいずれかにおいて、左右の支持部材同士を、連結材により連結する。
【００１７】
このような構成とすると、左右の支持部材同士の平行を保つことができ、棚板の歪みや捩れを防止することができる。
【発明の効果】
【００１８】
本発明によると、棚板上に載置される商品の重量等に応じて、スライドレール機構の後下がり傾斜角度を簡単に調節できるようにした、構造の簡単な商品陳列棚を提供することができる。
【発明を実施するための最良の形態】
【００１９】
以下、本発明の一実施形態を、添付図面を参照して説明する。  
図１は、本発明の商品陳列棚の一実施形態の全体構成を示す側面図、図２および図３は、その一部を拡大して示す側面図、図４〜図６は、図２のＡ−Ａ線、Ｂ−Ｂ線およびＣ-Ｃ線断面図である。
【００２０】
図１に示すように、この商品陳列棚１は、床２上に、不陸調整用のアジャスタ３を介して載置した陳列用基台４と、この陳列用基台４の後端部上面に立設され、かつ紙面と直交する左右方向に所定間隔離間して、少なくとも１対以上配設した支柱５と、両支柱５に後端を支持されるとともに、上下方向に所定間隔をおいて多段に配設された複数の商品陳列用の棚６とを備えている。
【００２１】
図２〜図６に示すように、各支柱５は、中空の角管により形成され、その前面には、左右２列、上下に多数の縦長の係止孔５ａ、５ａが、一定間隔で設けられている。
【００２２】
棚６は、係止孔５ａに係止される複数の下向き鈎型のフック部７ａが後端に設けられた前方を向く左右１対の棚受けブラケット７、７と、両棚受けブラケット７、７の上端に係止されて、その内側に垂下する左右１対の係止部材８、８と、両係止部材８、８の上方に配設された棚板９と、棚板９の両側部下面より垂下する前後方向を向く左右１対の垂下片１０と、垂下片１０と係止部材８との間に配設され、係止部材８に対して棚板９を前後方向に移動可能に支持するスライドレール機構１１（図４および図５参照）とを備えている。
【００２３】
係止部材８は、前後方向を向く垂直板状の基片８ａの内側面に、スライドレール機構１１における後述する固定ガイドレール１６が固着され、かつ基片８ａの上端部に、外向き水平片８ｂと、その外側端より垂下する垂下片８ｃとからなる係止部８ｄが形成されたものよりなり、係止部８ｄが、棚受けブラケット７に上方より跨嵌するようになっている。
【００２４】
係止部材８における基片８ａの後上部に設けた左右方向を向くねじ孔８ｅには、摘み付きねじ１２が内方より螺合されており（図６参照）、その摘み付きねじ１２を棚受けブラケット７の後上部に設けた軸孔７ｂに貫通させて、その先端を垂下片８ｃの内面に当接させることにより、係止部材８は、摘み付きねじ１２を左右方向の軸として、棚受けブラケットの後部に枢着されている。
【００２５】
図２および図４に示すように、棚受けブラケット７の先端部には、上下方向を向くねじ孔１３ａを有するナット１３が溶接等をもって固着されており、このナット１３のねじ孔１３ａには、摘み付きねじからなる高さ調節ねじ１４が、下方より螺合され、ナット１３の上端より突出する高さ調節ねじ１４の上端は、係止部材８における外向き水平片８ｂの前端部下面に当接するようになっている。
【００２６】
係止部材８および棚板９は、図２に示すように、高さ調節ねじ１４の上端が、ナット１３の上端より下方に位置している状態では、水平状態か、またはわずかに後ろ下がり傾斜した状態となっているが、この状態から、図３に示すように、高さ調節ねじ１４を上昇させて、その上端で、係止部材８の前端部を持ち上げることにより、係止部材８の前部を、棚板９とともに、上向に傾斜させることができる。
【００２７】
図４および図５、並びに図７〜図９に示すように、スライドレール機構１１は、係止部材８における基片８ａの内側面に、複数の止めねじ１５をもって、予め後下がり傾斜状態で固着された前後方向を向く正面視ほぼＣ字形の固定ガイドレール１６と、棚板９における垂下片１０の外側面に、複数の止めねじ１５をもって、後下がり傾斜状態で固着され、かつ固定ガイドレール１６内に摺動自在に嵌合された可動レール１７と、可動レール１７と固定ガイドレール１６との間の上下部に形成された隙間に介挿されて、可動レール１７を円滑に移動させるための複数の鋼球１８と、各鋼球１８を固定レール１６内に保持するための機構および可動レール１７の抜止め防止機構などを備えている。
【００２８】
図７は、左右の棚受けブラケット７、と係止部材８、８との結合関係を示す分解斜視図、図８は同じく各係止部材８と、棚板９との結合関係を示す分解斜視図である。
図７に示すように、左右の係止部材８、８の後部底面同士は、連結板１９により、互いに一体的に連結されている。連結板１９の前縁には、上向きの補強用リブ１９が一体的に形成されており、連結板１９の後縁には、起立片１９ｂが一体的に形成されている。また、連結板１９の中間位置には、補強ビーム（図示略）等が溶接により固着されており、この連結板１９により、左右の係止部材８、８が常に平行状態を保つようにしてある。
【００２９】
図８に示すように、係止部材８に対する固定ガイドレール１６の取付状態では、係止部材８に対して後下がり傾斜角度αだけ傾けて取付けてあり、これによって、係止部材８および棚板９の上面が水平に近い状態であっても、商品を棚板９上に載置した場合には、自然に後下がりに移動する傾斜となっている。なお、棚板９の両側部下面には、上記垂下片９が一体に固着されているほか、棚板９の底面には、図示しない補強ビーム等を固着し、棚板９の上面に載置される商品に対する支持剛性を確保するようにするのが好ましい。
【００３０】
図９は、上記構成の商品陳列棚１の動作説明図であり、図９の下側に示すように、商品Ｗが前後に載置され、ある程度の荷重がかかっている棚板９を手前側に引くと、棚板９のみが矢印のごとく手前側に引出される。
この状態で手を離せば、商品の自重プラス棚板９の重量の水平分力により、図の上部側に矢印に示すように、その自重により原位置まで後退する。この前進および自動後退動作は、スライドレール機構１１により、円滑かつ軽快に行われる。上記動作は、特に重量が重く、かつ静かに自動後退できる場合であるが、商品Ｗの重量が軽く、自動後退がスムーズに行われない場合には、図３に示すように、高さ調節ねじ１４の上端を上方に突出させて、係止部材８の後ろ向き傾斜角度を大きくすることによって、円滑な自動後退動作を取り戻すことができる。
なお、上記スライドストロークは１２０〜１４０mm、高さ調節ねじ１４による傾斜角度調節範囲は、１．５〜４°程度とするのが望ましい。また、左右の棚受けブラケット７において、調節量を同一とするのが望ましい。
【００３１】
なお、図９に示す仕切板２０は、前後の商品Ｗを分離状態で棚板９上に固定するためのものであり、シートマグネットにより、棚板９の上面に磁着するようにしてある。
【００３２】
本発明は、上記実施形態のみに限定されるものではなく、幾多の変形した態様での実施が可能である。
例えば、上述の実施形態においては、高さ調節手段を、高さ調節ねじ１４としてあるが、例えば、左右の棚受けブラケット７、７の先端部間を、回動軸(図示略)で連結するとともに、この回動軸に、係止部材８の前端部下面に当接する高さ調節用のカムおよび、カムの回動操作用ハンドル等を設け、このハンドルを回動させることにより、係止部材８の前端部の高さを調節しうるようなものとしてもよい。
【図面の簡単な説明】
【００３３】
【図１】本発明の商品陳列棚の一実施形態の側面図である。
【図２】同じく、１個の棚の拡大側面図である。
【図３】同じく、後下がり傾斜角度を深く調節した状態の拡大側面図である。
【図４】図２におけるＡ−Ａ線拡大断面図である、。
【図５】同じく、図２におけるＢ−Ｂ線拡大断面図である。
【図６】同じく、図２におけるＣ−Ｃ線拡大断面図である。
【図７】棚受けブラケットと係止部材との結合関係を示す分解斜視図である。
【図８】係止部材に対する棚板の結合関係を示す分解斜視図である。
【図９】動作説明用の部分側面図である。
【符号の説明】
【００３４】
１  商品陳列棚
２  床
３  アジャスタ
４  陳列用基台
５  支柱
５ａ  係止孔
６  棚
７  棚受けブラケット
７ａ  フック部
７ｂ  軸孔
８  係止部材
８ａ  基片
８ｂ  外向き水平片
８ｃ  垂下片
８ｄ  係止部
８ｅ  ねじ孔
９  棚板
１０  垂下片
１１  スライドレール機構
１２  摘み付きねじ(軸)
１３  ナット
１３ａねじ孔
１４  高さ調節ねじ（高さ調節手段）
１５  止めねじ
１６  固定ガイドレール
１７  可動レール
１８  鋼球
１９  連結板
１９ａ  補強ビーム
１９ｂ  起立片
２０  仕切板
【図１】
2009201711.tif 000003
【図２】
2009201711.tif 000004
【図３】
2009201711.tif 000005
【図４】
2009201711.tif 000006
【図５】
2009201711.tif 000007
【図６】
2009201711.tif 000008
【図７】
2009201711.tif 000009
【図８】
2009201711.tif 000010
【図９】
2009201711.tif 000011